(57)【要約】【課題】アナログ放送波が停波した状態においてアナログ放送の停波を検出し、これを視聴者に通知できるアナログ放送停波対応テレビ受像機を提供する。【解決手段】アナログ放送波を受信するテレビ受像機において、受信した信号から同期信号を検出する同調検出部と、前記同期信号が前回検出されたか否かの履歴を保持する選局メモリ部と、を有し、前記同期信号が検出不可能で且つ前記履歴において前回前記同期信号が検出可能であったときに、前記アナログ放送波が停波したと判断して画面に表示する。【選択図】図１
2007267277.tif 000002
【特許請求の範囲】
【請求項１】
アナログ放送波を受信するテレビ受像機において、受信した信号から同期信号を検出する同調検出部と、前記同期信号が前回検出されたか否かの履歴を保持する選局メモリ部と、を有し、前記同期信号が検出不可能で且つ前記履歴において前回前記同期信号が検出可能であったときに、前記アナログ放送波が停波したと判断して画面に表示することを特徴とするアナログ放送停波対応テレビ受像機。
【請求項２】
中央演算処理装置と、前記中央演算処理装置からの同調命令に従いテレビ放送波周波数に同調し映像信号及び音声信号を復調するアナログ放送同調・復調部と、前記アナログ放送同調・復調部からの出力信号が前記中央演算処理装置より指定された周波数に対し同調しているかどうかを検出し、同調しているときに前記テレビ放送波が受信可能であると判定する同調検出部と、前記復調された映像信号に基づく画像を表示する画像表示部と、リモートコントローラからの制御コードを受信し前記中央演算処理装置に伝達するリモコン受信部と、各チャンネルの前回の受信可否状況の履歴を保持する選局メモリ部と、を有し、前記中央演算処理装置は、前記同調検出部によって前記同期信号が検出できず、前記履歴が前回前記同期信号が検出できたことを示しているときに、前記アナログ放送波が停波したと判断し、前記画像表示部にアナログ放送波が停波した旨の表示を行わせることを特徴とする請求項１に記載のアナログ放送停波対応テレビ受像機。
【請求項３】
前記アナログ放送同調・復調部が前記テレビ放送波周波数に同調し復調するために必要な制御データ及び各チャンネルの前回の受信可否状況の履歴を選局メモリ部に保持させることを特徴とする請求項１又は２に記載のアナログ放送停波対応テレビ受像機。
【請求項４】
アナログ放送波を受信するテレビ受像機において、受信した信号から同期信号を検出する同調検出部と、前記信号を受信している時刻が指定された時間帯であるか否かを判定する機能を有する中央演算処理装置と、前記同期信号が前回検出されたか否かの履歴を保持する選局メモリ部と、を有し、前記同期信号が検出不可能である時刻が前記指定された時間帯でなく、且つ前記履歴において前回前記同期信号が検出可能であったときに、前記アナログ放送波が停波したと判断して画面に表示することを特徴とするアナログ放送停波対応テレビ受像機。
【請求項５】
中央演算処理装置と、前記中央演算処理装置からの同調命令に従いテレビ放送波周波数に同調し映像信号及び音声信号を復調するアナログ放送同調・復調部と、前記アナログ放送同調・復調部からの出力信号が前記中央演算処理装置より指定された周波数に対し同調しているかどうかを検出し、同調しているときに前記テレビ放送波が受信可能であると判定する同調検出部と、前記復調された映像信号に基づく画像を表示する画像表示部と、リモートコントローラからの制御コードを受信し前記中央演算処理装置に伝達するリモコン受信部と、曜日、日付及び時刻を刻む時計と、各チャンネルの前回の受信可否状況の履歴を保持する選局メモリ部と、を有し、前記中央演算処理装置は、前記同調検出部によって前記同期信号が検出できないときの時刻を前記時計から読み出し、前記時刻が前記指定された時間帯でなく、前記履歴が前回前記同期信号が検出できたことを示しているときに、前記アナログ放送波が停波したと判断し、前記画像表示部にアナログ放送波が停波した旨の表示を行わせることを特徴とする請求項４に記載のアナログ放送停波対応テレビ受像機。
【請求項６】
前記アナログ放送同調・復調部が前記テレビ放送波周波数に同調し復調するために必要な制御データ、各チャンネルの前回の受信可否状況の履歴及び前記指定された時間帯を選局メモリ部に保持させることを特徴とする請求項４又は５に記載のアナログ放送停波対応テレビ受像機。
【発明の詳細な説明】
【技術分野】
【０００１】
本発明はアナログテレビ放送が受信可能なＰＤＰ（Plasma Display Panel）等及びアナログ放送を受信する機能を有するＤＶＤレコーダ等のテレビ録画機等のテレビ受像機に関し、特にアナログ放送波が停波したときにアナログ放送波が停波した旨を画像表示するアナログ放送停波対応テレビ受像機に関する。
【背景技術】
【０００２】
国内外でデジタル放送への移行が進み、デジタル放送受信機能付きテレビが普及してきているが、アナログ放送のみの受信しかできないテレビも、安価であることから依然市場に販売されている。行政・業界がデジタル放送への移行を進める中で、アナログ放送のみを受信するテレビ受像機に対しては、アナログ放送停波後は視聴できなくなる旨の取扱説明記述及びステッカーの貼付等の策が講じられる見込みである。
【０００３】
しかしながら、一般に広く普及しているテレビ受像機においては、購入後、使用者が使用開始時に取扱説明書を隅々まで熟読することは少なく、また、老若男女が使用していることから、全ての使用者にいずれアナログ放送が視聴できなくなることを周知させ、認知させることは困難である。放送局側も、アナログ放送を停波するにあたっては十分な告知を行うものと予想されるが、ある日突然アナログ放送が視聴できなくなった場合には、少なからず放送局及びテレビメーカー等にクレームが入ることが予想される。
【０００４】
テレビ受像機がアナログテレビ放送波の受信を試みたときに、アナログ放送が停波していることを検出できれば、アナログ放送の停波を視聴者に告知したり、デジタル放送とのサイマル放送を実施していることを通知したりすることによって、同一内容を放送しているデジタル放送チャンネルへの選局動作を促すことができると共に、不要なクレームへの対応を減らすことができる。
【０００５】
図７は特許文献１に開示されたテレビ信号受信機の構成を示すブロック図である。このテレビ信号受信機はテレビ信号検出回路３８を有している。このテレビ信号検出回路３８は映像信号回路３２内において得られる受信信号中に同期信号があるか否かを判定し、その結果の信号をマイコン３６に供給し、マイコン３６は、同期信号がない状態が所定時間以上継続した場合に電源回路３４を制御してテレビの表示のための電源をオフする。これにより、テレビ放送終了時等放送が行われていない間においても電源をオフしないままの状態が継続するのを防ぐことができるというものである。
【０００６】
図８は特許文献２に開示されたテレビ受信装置の構成を示すブロック図である。この技術は、入力電界を検出して電圧に変換するＡＧＣ（Automatic Gain Control:自動ゲイン制御）回路４６より出力されたＩＦ（Intermediate Frequency：中間周波）−ＡＧＣ電圧及びＲＦ（Radio Frequency：高周波）−ＡＧＣ電圧を使用し、この受信電界強度（受信信号レベル）が、受信信号レベル設定回路５１において設定されたレベル以上かどうかを受信信号レベル判定回路５２によって判定し、受信信号レベル設定回路５１において設定されたレベル以上の信号レベルを有するテレビ受信チャンネルのみを選局回路４９に入力して、この選択されたチャンネルをメモリ５０に記憶するか否かを判定するというものである。
【０００７】
また、特許文献３に開示されたデジタル放送受信装置は、放送番組データ、番組配列情報及びサービス情報データを含む多重されたデジタル放送信号を受信し、番組配列情報を所定期間受信して番組配列情報の欠損発生状況を解析するエラー訂正部と、この解析結果に基づき番組配列情報の受信可否を判断して、目的とする放送番組の存在の有無を視聴者に通知する制御手段とを有している。これにより、視聴者が目的の放送番組が存在しているかどうかを素早く判断できるようにしたものである。
【０００８】
【特許文献１】特開平７−３２２１６９号公報「テレビ信号受信機」
【特許文献２】特開平７−３３６６１２号公報「テレビ受信装置」
【特許文献３】特開２００３−３４８４６６号公報「デジタル放送受信装置」
【発明の開示】
【発明が解決しようとする課題】
【０００９】
しかしながら、上述の従来技術には以下に示すような問題点がある。特許文献１に開示されている技術は、テレビ信号検出回路３８によって映像信号回路３２内において得られる受信信号中に同期信号があるか否かを判定し、同期信号がない状態が所定時間以上継続した場合にテレビの表示のための電源をオフするものであり、アナログテレビ放送波が停波している場合、所定時間後にテレビの表示のための電源がオフされるだけで、使用者にアナログテレビ放送波が停波したことを通知するものではない。
【００１０】
また、特許文献２に開示されている技術は、チャンネルオート設定の操作において、フロントエンド部のＩＦ−ＡＧＣ電圧及びＲＦ−ＡＧＣ電圧を取り込んで受信電界強度（受信信号レベル）があるレベルに達しているかどうかを判定し、オート設定としてメモリに記憶するか否かを判断する技術であり、アナログテレビ放送波が停波している場合に使用者にアナログテレビ放送波が停波したことを通知するものではない。
【００１１】
特許文献３に開示されている技術は、デジタル放送で送られてくる番組配列情報を利用して目的のチャンネルが放送中であるか休止中又は停止中であるかどうかを判断できるものである。しかしながら、アナログテレビ放送においては番組配列情報を利用することができず、この技術をアナログテレビ放送波が停波している場合の通知に適用することができない。
【００１２】
本発明はかかる問題点に鑑みてなされたものであって、アナログ放送波が停波した状態においてテレビ受像機がアナログテレビ放送波の受信を試みたときに、アナログ放送の停波を検出し、これを視聴者に通知できるアナログ放送停波対応テレビ受像機を提供することを目的とする。
【課題を解決するための手段】
【００１３】
本発明に係るアナログ放送停波対応テレビ受像機は、アナログ放送波を受信するテレビ受像機において、受信した信号から同期信号を検出する同調検出部と、前記同期信号が前回検出されたか否かの履歴を保持する選局メモリ部と、を有し、前記同期信号が検出不可能で且つ前記履歴において前回前記同期信号が検出可能であったときに、前記アナログ放送波が停波したと判断して画面に表示することを特徴とする。
【００１４】
中央演算処理装置と、前記中央演算処理装置からの同調命令に従いテレビ放送波周波数に同調し映像信号及び音声信号を復調するアナログ放送同調・復調部と、前記アナログ放送同調・復調部からの出力信号が前記中央演算処理装置より指定された周波数に対し同調しているかどうかを検出し、同調しているときに前記テレビ放送波が受信可能であると判定する同調検出部と、前記復調された映像信号に基づく画像を表示する画像表示部と、リモートコントローラからの制御コードを受信し前記中央演算処理装置に伝達するリモコン受信部と、各チャンネルの前回の受信可否状況の履歴を保持する選局メモリ部と、を有し、前記中央演算処理装置は、前記同調検出部によって前記同期信号が検出できず、前記履歴が前回前記同期信号が検出できたことを示しているときに、前記アナログ放送波が停波したと判断し、前記画像表示部にアナログ放送波が停波した旨の表示を行わせることが好ましい。
【００１５】
また、前記アナログ放送同調・復調部が前記テレビ放送波周波数に同調し復調するために必要な制御データ及び各チャンネルの前回の受信可否状況の履歴を選局メモリ部に保持させることもできる。
【００１６】
本発明に係る他のアナログ放送停波対応テレビ受像機は、アナログ放送波を受信するテレビ受像機において、受信した信号から同期信号を検出する同調検出部と、前記信号を受信している時刻が指定された時間帯であるか否かを判定する機能を有する中央演算処理装置と、前記同期信号が前回検出されたか否かの履歴を保持する選局メモリ部と、を有し、前記同期信号が検出不可能である時刻が前記指定された時間帯でなく、且つ前記履歴において前回前記同期信号が検出可能であったときに、前記アナログ放送波が停波したと判断して画面に表示することを特徴とする。
【００１７】
中央演算処理装置と、前記中央演算処理装置からの同調命令に従いテレビ放送波周波数に同調し映像信号及び音声信号を復調するアナログ放送同調・復調部と、前記アナログ放送同調・復調部からの出力信号が前記中央演算処理装置より指定された周波数に対し同調しているかどうかを検出し、同調しているときに前記テレビ放送波が受信可能であると判定する同調検出部と、前記復調された映像信号に基づく画像を表示する画像表示部と、リモートコントローラからの制御コードを受信し前記中央演算処理装置に伝達するリモコン受信部と、曜日、日付及び時刻を刻む時計と、各チャンネルの前回の受信可否状況の履歴を保持する選局メモリ部と、を有し、前記中央演算処理装置は、前記同調検出部によって前記同期信号が検出できないときの時刻を前記時計から読み出し、前記時刻が前記指定された時間帯でなく、前記履歴が前回前記同期信号が検出できたことを示しているときに、前記アナログ放送波が停波したと判断し、前記画像表示部にアナログ放送波が停波した旨の表示を行わせることが好ましい。
【００１８】
また、前記アナログ放送同調・復調部が前記テレビ放送波周波数に同調し復調するために必要な制御データ、各チャンネルの前回の受信可否状況の履歴及び前記指定された時間帯を選局メモリ部に保持させることもできる。
【発明を実施するための最良の形態】
【００１９】
以下、本発明の実施形態について貼付の図面を参照して具体的に説明する。先ず、本発明の第１実施形態について説明する。図１は本実施形態に係るアナログ放送停波対応テレビ受像機を示すブロック図である。本実施形態に係るアナログ放送停波対応テレビ受像機１０は、アナログ放送同調・復調部１１、同調検出部１２、画像表示部１３、リモコン受信部１４、選局メモリ部１５及び中央演算処理装置（ＣＰＵ）１６からなり、アナログ放送同調・復調部１１にはテレビ放送局から送信されるアナログ放送波をアナログ放送同調・復調部１１に供給するアンテナ２０が接続されている。
【００２０】
アナログ放送同調・復調部１１は、ＣＰＵ１６からの同調命令に従い、ＵＨＦ／ＶＨＦ帯でテレビ放送波周波数に同調し、映像信号を復調して同調検出部１２及び画像表示部１３に出力し、また音声信号を復調してスピーカ（図示せず）に出力する。図２（ａ）はアンテナ２０がアナログ放送波を受信している状態において、アンテナ２０が受信した受信波の波形（図１においてＡで示す点における波形）の一例を示す模式図、図２（ｂ）は（ａ）に示す受信波をアナログ放送同調・復調部１１によって復調した波形（図１においてＢで示す点における波形）を示す模式図である。
【００２１】
図２（ａ）に示すように、アンテナ２０が受信する受信波は、映像信号を電波によって転送するために、局部発信器（図示せず）によって供給される搬送波（正弦波）の振幅、周波数及び位相を変調し、映像信号を乗せたものである。アンテナ２０が受信したこの変調波はアナログ放送同調・復調部１１に供給され、アナログ放送同調・復調部１１によって映像信号に復調され、アナログ放送同調・復調部１１は、この復調された映像信号を同調検出部１２及び画像表示部１３に出力する。図２の例で示す映像信号は水平方向の同期信号を有している。同期信号は、画面を再構成するために使われる信号であり、輝度信号とは逆方向（負極性）で映像信号に重畳される。水平同期周波数は約１５．７５ｋＨｚである。
【００２２】
図３（ａ）はアンテナ２０がアナログ放送波を受信していない状態において、アンテナ２０が受信した受信波の波形（図１においてＡで示す点における波形）を示す模式図、図３（ｂ）は同じくアナログ放送同調・復調部１１によって復調された映像信号の波形（図１においてＢで示す点における波形）を示す模式図である。
【００２３】
図３（ａ）及び（ｂ）に示すように、アンテナ２０がアナログ放送波を受信していない状態においては、アンテナ２０が受信する受信波はランダムな雑音であり、この受信波はアナログ放送同調・復調部１１に供給され、復調された後においてもランダムな雑音である。
【００２４】
同調検出部１２はアナログ放送同調・復調部１１の出力信号を監視して、ＣＰＵ１６により指定された周波数に対し、この出力信号が同調しているときに、放送波検出信号をハイレベル（＝５Ｖ）で出力してアナログ放送波が受信可能であることをＣＰＵ１６に伝達し、出力信号が同調していないときは放送波検出信号をローレベル（＝０Ｖ）の状態で維持する。具体的な同調検出方法としては、受信電波の強弱に対し、受信電波が強入力の場合にアナログ放送同調・復調部１１内の増幅器の利得を下げ、受信電波が弱又は無入力の場合にアナログ放送同調・復調部１１内の増幅器の利得を上げる制御電圧を監視する方法、アナログ放送波受信時に復調部より得られる映像同期信号（水平・垂直同期信号）を監視する方法及びこれらを複合的に組み合わせた方法が使用できる。
【００２５】
画像表示部１３はブラウン管、液晶又はＰＤＰ（Plasma Display Panel）等の表示器であり、アナログ放送同調・復調部１１によって復調された映像信号が入力されるとこの信号に基づく表示を画面に表示したり、選局されたチャンネル、音量等の情報を画面に表示したりするＯＳＤ（On Screen Display：画面表示）機能を有する。
【００２６】
リモコン（リモートコントローラ）受信部１４はリモコン（図示せず）からの制御コードを受信し、ＣＰＵ１６に伝達する。
【００２７】
選局メモリ部１５は、選局に関する情報として、ＣＰＵ１６がアナログ放送同調・復調部１１に対して、本実施形態に係るアナログ放送停波対応テレビ受像機１０が受信できる各チャンネルを同調・復調するために必要な制御データ（搬送波を供給する局部発信器の周波数又は局部発信周波数制御電圧等）を保持しておく（チャンネルプリセット）機能及び記憶されている各受信チャンネルの前回の受信可否状況の履歴を保持する機能を有する。
【００２８】
ＣＰＵ１６は制御プログラムを実行し、上述の各部からの信号を処理すると共に、各部への制御命令を発する。具体的には、アナログ放送同調・復調部１１に所望の周波数（受信周波数）での同調命令を送る機能、同調検出部１２からの放送波検出信号を受信する機能、画像表示部１３にＯＳＤ表示の命令を送る機能、リモコン受信部１４で受信されるリモコン命令を処理する機能及び選局メモリ部１５の読み出し／書き込みを行い、選局に関する情報を保管・更新する機能等を有している。
【００２９】
これらによって本実施形態に係るアナログ放送停波対応テレビ受像機１０が構成され、アナログ放送同調・復調部１１にはテレビ放送局から送信されるアナログ放送波をアナログ放送同調・復調部１１に供給するアンテナ２０が接続されている。
【００３０】
次に、上述の如く構成された本実施形態に係るアナログ放送停波対応テレビ受像機１０の動作について説明する。基本的には、アナログ放送が停波している場合において、テレビ受像機がアナログテレビ放送波の受信を試みたときに、アナログ放送が停波していることを検出できればよい。しかしながら、単純にアナログテレビ放送波の受信を試みたときに放送電波が検出（検波）できなかったことのみを以てアナログ放送が停波したと判定すると、事故停波又はメンテナンスのための放送休止等によって偶然放送電波が停止している状態を検出した場合に誤判定になる。
【００３１】
そこで、昨今のテレビ受像機が受信チャンネルを記憶しておく機能を有していることから、本実施形態に係るアナログ放送停波対応テレビ受像機１０は、更に、選局メモリ部１５が、記憶されている各受信チャンネルの前回の受信可否状況の履歴を保持する機能を有し、前回に受信できていたチャンネルのアナログ放送波が今回受信できないと判定された場合に、「放送が停止しています」という旨を画像表示部１３に表示することにする。
【００３２】
図４に本実施形態に係るアナログ放送停波対応テレビ受像機１０のＣＰＵ１６の一連の動作を示すフローチャートを示す。以下、使用者がチャンネル”Ａ”を視聴し、その後チャンネル”Ｘ”を視聴し、その後、再度チャンネル”Ａ”の選局を行った場合を例として説明する。
【００３３】
使用者が任意のチャンネル”Ａ”を視聴しようとした場合、図１のブロック図において、使用者がリモコン（図示せず）操作を行うことによりリモコン受信部１４が制御コードを受信し、この受信信号をＣＰＵ１６に伝達する。ＣＰＵ１６はリモコン（図示せず）からの選局命令を受信し（ステップ１）、この選局命令に従ってチャンネル”Ａ”の同調に必要な制御データ（受信周波数等）及びチャンネル”Ａ”が前回受信可能であったかどうかを示すフラグ（前回同調フラグ）を選局メモリ部１５より読み出し（ステップ２）、アナログ放送同調・復調部１１に所望の周波数（受信周波数）での同調命令を送る（ステップ３）。
【００３４】
ステップ１において、ＣＰＵ１６がリモコン（図示せず）からの選局命令を受信できなかった場合は、再度使用者がリモコン（図示せず）操作を行う。
【００３５】
アナログ放送同調・復調部１１はＣＰＵ１６からの所望の周波数（受信周波数）での同調命令に従い、ＵＨＦ／ＶＨＦ帯でテレビ放送波周波数に同調し、映像信号及び音声信号をこの受信周波数で復調し、映像信号を同調検出部１２及び画像表示部１３に出力し、また音声信号をスピーカ（図示せず）に出力する。同調検出部１２は入力された映像信号がＣＰＵ１６により指定された周波数に対して同調しているか否かを判定する（ステップ４）。
【００３６】
ステップ４において、同調検出部１２が、映像信号がＣＰＵ１６により指定された周波数に対して同調する信号を有していると判定すると、同調検出部１２は放送検出信号をハイレベル（＝５Ｖ）にすることによってチャンネル”Ａ”のアナログ放送波が受信可能であること、即ちチャンネル”Ａ”が視聴できていることをＣＰＵ１６に伝達する。ＣＰＵ１６はこの放送検出信号を検出することで、チャンネル”Ａ”のアナログ放送波が受信できていることを判断し、チャンネル”Ａ”が受信可能であったことを示すフラグを立て（前回同調フラグ＝１）（ステップ８）、選局メモリ部１５にチャンネル”Ａ”が受信可能であったこと、即ち放送されていたことを示すフラグ（前回同調フラグ＝１）を合わせて記憶させる（ステップ９）。
【００３７】
続いて、使用者が他のチャンネル”Ｘ”を視聴しようとリモコンを操作する。上述のステップ１乃至４と同様の手順によって、同調検出部１２は入力された映像信号がＣＰＵ１６により指定された周波数に対して同調しているか否かを判定する（ステップ１乃至ステップ４）。
【００３８】
ステップ４において、同調検出部１２が、映像信号がＣＰＵ１６により指定された周波数に対して同調する信号を有していると判定すると、同調検出部１２は放送検出信号をハイレベル（＝５Ｖ）にすることによってチャンネル”Ｘ”のアナログ放送波が受信可能であること、即ちチャンネル”Ｘ”が視聴できていることをＣＰＵ１６に伝達する。ＣＰＵ１６はこの放送検出信号を検出することで、チャンネル”Ｘ”のアナログ放送波が受信できていることを判断し、チャンネル”Ｘ”が受信可能であったことを示すフラグを立て（前回同調フラグ＝１）（ステップ８）、選局メモリ部１５にチャンネル”Ｘ”が受信可能であったこと、即ち放送されていたことを示すフラグ（前回同調フラグ＝１）を合わせて記憶させる（ステップ９）。
【００３９】
その後、再び使用者がチャンネル”Ａ”を視聴しようした場合、上述のステップ１乃至３と同様の手順によってＣＰＵ１６がアナログ放送同調・復調部１１に所望の周波数（受信周波数）での同調命令を送る（ステップ１乃至３）。アナログ放送同調・復調部１１はＣＰＵ１６からの同調命令に従いＵＨＦ／ＶＨＦ帯でテレビ放送波周波数に同調し、映像信号及び音声信号をこの受信周波数で復調して、映像信号を同調検出部１２及び画像表示部１３に出力し、また音声信号をスピーカ（図示せず）に出力する。同調検出部１２は入力された映像信号がＣＰＵ１６により指定された周波数に対して同調しているか否かを判定する。このとき同調検出部１２は、アナログ放送同調・復調部１１によって復調された映像信号にＣＰＵ１６により指定された周波数に対して同調する信号が無いと判定した場合（ステップ４）、放送検出信号をローレベル（＝０Ｖ）で維持する。
【００４０】
ＣＰＵ１６は同調検出部１２からのチャンネル”Ａ”が視聴できていることを示す放送検出信号の検出を試み、放送検出信号が検出できないと、前回の選局操作時に受信可能（前回同調フラグ＝１）であったかどうかを判断し（ステップ５）、前回同調フラグが１であったときに、今回の選局操作でアナログ放送波を受信できないのはアナログ放送波が無いからであると判断し、これを以てチャンネル”Ａ”の放送が終了し、チャンネル”Ａ”のアナログ放送波が停波されたと判断する。そして、画像表示部１３のＯＳＤ機能に、例えば「選択されたチャンネルの放送は終了し、デジタル放送に移行しています。」等の表示を行う命令を伝達する（ステップ６）。
【００４１】
また、ステップ５において前回同調フラグも０であったときは、ＣＰＵ１６は、チャンネル”Ａ”が受信不可であったことを示すフラグを立て（前回同調フラグ＝０）（ステップ７）、選局メモリ部１５にチャンネル”Ａ”が受信不可であったことを示すフラグ（前回同調フラグ＝０）を記憶させる（ステップ９）。
【００４２】
なお、使用者が任意のチャンネル”Ａ”を選局する手段はリモコン（図示せず）操作に限らず、アナログ放送停波対応テレビ受像機１０本体のスイッチ（図示せず）等によって行われても良い。この場合、ＣＰＵ１６はアナログ放送停波対応テレビ受像機１０本体のスイッチ（図示せず）等からの選局命令に従ってチャンネル”Ａ”の同調に必要な制御データを選局メモリ部１５より読み出し、アナログ放送同調・復調部１１に所望の周波数（受信周波数）での同調命令を送る。
【００４３】
本実施形態に係るアナログ放送停波対応テレビ受像機１０は、選局メモリ部１５が、記憶されている各受信チャンネルの前回の受信可否状況の履歴を保持する機能を有し、前回受信できていたチャンネルが今回受信できないと判定されたときにアナログ放送波が停波されたと判断し、画像表示部１３に、例えば「選択されたチャンネルの放送は終了し、デジタル放送に移行しています。」等の表示を行う。これにより、事故停波及びメンテナンスのための放送休止等によって偶然放送電波が停止している状態とアナログ放送波が停波された状態とを区別することができ、誤判定を防ぐことができる。
【００４４】
次に、本発明の第２実施形態について説明する。図５は本実施形態に係るアナログ放送停波対応テレビ受像機１００を示すブロック図である。図５において、図１と同一構成物には同一符号を付して、その詳細な説明は省略する。昨今において、テレビ放送は２４時間連続方法が一般化しているが、深夜に番組が終了することもある。番組終了後においても、静止画面及び音楽が送信されたり、カラーバー及び音声信号の試験電波が送信されたりすることもあるが、地上アナログ放送では深夜から早朝までの時間帯等はメンテナンス等のために電波を停止（放送休止）することもある。
【００４５】
上述の第１実施形態においては、アナログ放送停波対応テレビ受像機１０が選局命令を受けた時刻によっては、アナログ放送波の停波の判断を行ったとき、それが実際にアナログ放送波の停波を検出したのか又は日常的に行われている夜間の定時放送終了後等における停波を検出したのかの判断がつかない場合がある。
【００４６】
そこで、本実施形態に係るアナログ放送停波対応テレビ受像機１００は、第１実施形態に係るアナログ放送停波対応テレビ受像機の機能に加え、更にアナログ放送停波対応テレビ受像機に時計１０１を内蔵し、夫々の選局命令に対する選局動作実施時に、所望のアナログ放送波が受信できたか否かと合わせて選局実施時刻を勘案し、放送休止であるのか放送波が停波されているのかの判断を行う機能を追加している。地上アナログ放送では例えば深夜１２時から朝６時までの時間帯及び日曜の深夜（月曜の早朝）１時から朝５時までの時間帯等はメンテナンス等のために電波を停止（放送休止）することがある。このことを判断の材料とし、放送休止と放送停止の違いを判断する機能を有している。
【００４７】
図５に示すように、本実施形態に係るアナログ放送停波対応テレビ受像機１００は、アナログ放送同調・復調部１１、同調検出部１２、画像表示部１３、リモコン受信部１４、選局メモリ部１５、中央演算処理装置（ＣＰＵ）１６及び時計１０１からなり、アナログ放送同調・復調部１１にはテレビ放送局から送信されるアナログ放送波をアナログ放送同調・復調部１１に供給するアンテナ２０が接続されている。
【００４８】
時計１０１は日付及び時刻を刻むものであり、少なくとも一週間の曜日を含めた時刻が分かる機能を有していればよい。
【００４９】
ＣＰＵ１６は上述の第１実施形態の機能に加え、時計１０１から現在時刻及び曜日情報を取得する機能を有する。
【００５０】
これらによって本実施形態に係るアナログ放送停波対応テレビ受像機１００が構成され、アナログ放送同調・復調部１１にはテレビ放送局から送信されるアナログ放送波をアナログ放送同調・復調部１１に供給するアンテナ２０が接続されている。
【００５１】
次に、上述の如く構成された本実施形態に係るアナログ放送停波対応テレビ受像機１００の動作について説明する。上述の第１実施形態で述べたアナログ放送が停波したか否かの判定条件に加え、本実施形態においては使用者のリモコン命令等に従って選局を試みたときの時刻が上述の放送休止時間帯であるときは「放送休止」として扱い、「放送停止」、即ちアナログ放送波が停波されたという判断を行わない。一方、上述の時間帯以外は「放送停止」即ちアナログ放送波が停波されたと判断し、第１実施形態と同様に画像表示部１３のＯＳＤ機能を使って、例えば「選択されたチャンネルの放送は終了し、デジタル放送に移行しています。」等の表示を行う。
【００５２】
図６に本実施形態に係るアナログ放送停波対応テレビ受像機１００のＣＰＵ１６の一連の動作を示すフローチャートを示す。以下、使用者がチャンネル”Ａ”を視聴し、その後チャンネル”Ｘ”を視聴し、その後、再度チャンネル”Ａ”を視聴しようとした状態を例として説明する。
【００５３】
使用者が任意のチャンネル”Ａ”を視聴しようとした場合、図５のブロック図において、使用者がリモコン（図示せず）操作を行うことによりリモコン受信部１４が制御コードを受信し、この受信信号をＣＰＵ１６に伝達する。この後の手順は上述の第１実施形態において任意のチャンネル”Ａ”を視聴しようとした場合と同様である。
【００５４】
続いて、使用者が他のチャンネル”Ｘ”を視聴しようとリモコンを操作する。この後の手順は上述の第１実施形態において他のチャンネル”Ｘ”を視聴しようとした場合と同様である。
【００５５】
その後、再び使用者がチャンネル”Ａ”を視聴しようした場合、第１実施形態で述べたステップ１乃至３と同様の手順によってＣＰＵ１６がアナログ放送同調・復調部１１に所望の周波数（受信周波数）での同調命令を送る。アナログ放送同調・復調部１１はＣＰＵ１６からの同調命令に従いＵＨＦ／ＶＨＦ帯でテレビ放送波周波数に同調し、映像信号及び音声信号をこの受信周波数で復調して、映像信号を同調検出部１２及び画像表示部１３に出力し、また音声信号をスピーカ（図示せず）に出力する。同調検出部１２は入力された映像信号がＣＰＵ１６により指定された周波数に対して同調しているか否かを判定する。このとき同調検出部１２は、アナログ放送同調・復調部１１によって復調された映像信号にＣＰＵ１６により指定された周波数に対して同調する信号が無いと判定した場合（ステップ４）、放送検出信号をローレベル（＝０Ｖ）で維持する。
【００５６】
ＣＰＵ１６は同調検出部１２からのチャンネル”Ａ”が視聴できていることを示す放送検出信号の検出を試み、放送検出信号が検出できないと、アナログ放送停波対応テレビ受像機１００に内蔵された時計１０１から時刻を読み出し（ステップ５）、上述の放送休止時刻範囲であるか否かを判定する（ステップ６）。
【００５７】
ステップ６において、ＣＰＵ１６が同調検出部１２からのチャンネル”Ａ”の放送検出信号が検出できないときの時刻が放送休止時刻範囲であると判断されると、チャンネル”Ａ”が受信可能であったか否かを示すフラグを立てず（ステップ８）、選局メモリ部１５にもフラグを記憶させない（ステップ１１）。
【００５８】
また、ステップ６において、ＣＰＵ１６が同調検出部１２からのチャンネル”Ａ”の放送検出信号が検出できないときの時刻が放送休止時刻範囲でないと判断されると、前回の選局操作時に受信可能（前回同調フラグ＝１）であったかどうかを判断し（ステップ７）、前回同調フラグが１であったときに、今回の選局操作でアナログ放送波を受信できないのはアナログ放送波が無いからであると判断し、これを以てチャンネル”Ａ”の放送が終了し、チャンネル”Ａ”のアナログ放送波が停波されたと判断する。そして、画像表示部１３のＯＳＤ機能に、例えば「選択されたチャンネルの放送は終了し、デジタル放送に移行しています。」等の表示を行う命令を伝達する（ステップ８）。
【００５９】
また、ステップ７において前回同調フラグも０であったときは、ＣＰＵ１６は、ＣＰＵ１６は、チャンネル”Ａ”が受信不可であったことを示すフラグを立て（前回同調フラグ＝０）（ステップ９）、選局メモリ部１５にチャンネル”Ａ”が受信不可であったことを示すフラグ（前回同調フラグ＝０）を記憶させる（ステップ１１）。
【００６０】
なお、使用者が任意のチャンネル”Ａ”を選局する手段はリモコン（図示せず）操作に限らず、アナログ放送停波対応テレビ受像機１００本体のスイッチ（図示せず）等によって行われても良い。この場合、ＣＰＵ１６はアナログ放送停波対応テレビ受像機１００本体のスイッチ（図示せず）等からの選局命令に従ってチャンネル”Ａ”の同調に必要な制御データを選局メモリ部１５より読み出し、アナログ放送同調・復調部１１に所望の周波数（受信周波数）での同調命令を送る。
【００６１】
本実施形態に係るアナログ放送停波対応テレビ受像機１００は、第１実施形態に係るアナログ放送停波対応テレビ受像機１０の機能に加え、更にアナログ放送停波対応テレビ受像機に時計１０１を内蔵し、夫々の選局命令に対する選局動作実施時に、所望のアナログ放送波が受信できたか否かと合わせて選局実施時刻を勘案し、放送休止であるのか放送波が停波されているのかの判断を行う機能を追加している。これにより、ＣＰＵ１６がアナログ放送波の停波の判断を行うときに、実際にアナログ放送波の停波の状態と日常的に行われている夜間の定時放送終了後等における停波の状態とを区別することができ、誤判定を防ぐことができる。
【図面の簡単な説明】
【００６２】
【図１】本発明の第１実施形態に係るアナログ放送停波対応テレビ受像機を示すブロック図である。
【図２】（ａ）はアンテナ２０がアナログ放送波を受信している状態において、アンテナ２０が受信した受信波の波形（図１においてＡで示す点における波形）の一例を示す模式図、（ｂ）は（ａ）に示す受信波をアナログ放送同調・復調部１１によって復調した波形（図１においてＢで示す点における波形）を示す模式図である。
【図３】（ａ）はアンテナ２０がアナログ放送波を受信していない状態において、アンテナ２０が受信した受信波の波形（図１においてＡで示す点における波形）を示す模式図、（ｂ）は同じくアナログ放送同調・復調部１１によって復調された映像信号の波形（図１においてＢで示す点における波形）を示す模式図である。
【図４】本発明の第１実施形態に係るアナログ放送停波対応テレビ受像機１０のＣＰＵ１６の一連の動作を示すフローチャートである。
【図５】本発明の第２実施形態に係るアナログ放送停波対応テレビ受像機１００を示すブロック図である。
【図６】本発明の第２実施形態に係るアナログ放送停波対応テレビ受像機１００のＣＰＵ１６の一連の動作を示すフローチャートである。
【図７】従来技術のテレビ信号受信機の構成を示すブロック図である。
【図８】従来技術のテレビ受信装置の構成を示すブロック図である。
【符号の説明】
【００６３】
１０  ；  アナログ放送停波対応テレビ受像機
１１  ；  アナログ放送同調・復調部
１２  ；  同調検出部
１３  ；  画像表示部
１４  ；  リモコン受信部
１５  ；  選局メモリ部
１６  ；  中央演算処理装置（ＣＰＵ）
１００；  アナログ放送停波対応テレビ受像機
１０１；  時計
２０  ；  アンテナ
３０  ；  アンテナ
３１  ；  テレビチューナー
３２  ；  映像信号回路
３３  ；  ディスプレイ
３４  ；  電源回路
３５  ；  操作スイッチ
３６  ；  マイコン
３７  ；  リモコン（リモートコントローラ）
３８  ；  テレビ信号検出回路
４０  ；  チューナ
４１  ；  ＳＡＷフィルタ
４２  ；  映像信号中間周波増幅検波回路
４３  ；  映像信号増幅器
４４  ；  映像信号検波回路
４５  ；  ＡＦＣ（Automatic Frequency Control：自動周波数制御）回路
４６  ；  ＡＧＣ（Automatic Gain Control:自動利得制御）回路
４７  ；  電圧制御発振器
４８  ；  映像信号検出回路
４９  ；  選局回路
５０  ；  メモリ
５１  ；  受信信号レベル設定回路
５２  ；  受信信号レベル判定回路
【図１】
2007267277.tif 000003
【図２】
2007267277.tif 000004
【図３】
2007267277.tif 000005
【図４】
2007267277.tif 000006
【図５】
2007267277.tif 000007
【図６】
2007267277.tif 000008
【図７】
2007267277.tif 000009
【図８】
2007267277.tif 000010